(57)【要約】【課題】音声入力ソース毎に音量を利用者が設定可能な音量調整装置及び音量調整方法を提供する。【解決手段】音声入力ソース毎に音量を設定可能な複数の音声入力ソースから所望の入力ソースを選択して再生する再生手段と、前記音声入力ソースの直前の再生時の音量を記憶する記憶手段とを備え、この記憶結果に応じて、前記音入力ソースの切換後の音量を前記再生手段は制御することを特徴とする音量調整装置。また、音声入力ソース毎に音量を設定可能な複数の音声入力ソースから所望の入力ソースを選択して再生し、前記音声入力ソースの直前の再生時の音量を記憶し、この記憶結果に応じて、前記音入力ソースの切換後の音量を制御することを特徴とする音量調整方法。【選択図】  図３
2011155541.tif 000002
【特許請求の範囲】
【請求項１】
音声入力ソース毎に音量を設定可能な複数の音声入力ソースから所望の入力ソースを選択して再生する再生手段と、
前記音声入力ソースの直前の再生時の音量を記憶する記憶手段とを備え、
この記憶結果に応じて、前記音入力ソースの切換後の音量を前記再生手段は制御することを特徴とする音量調整装置。
【請求項２】
音声入力ソースとして外部機器に保存されている動画または音楽コンテンツの再生時の音量は、再生機能を終了するたびに初期値にリセットすることを特徴とする請求項１に記載の音量調整装置。
【請求項３】
前記初期値にリセットすることを妨げるように働く設定手段を更に備えたことを特徴とする請求項２に記載の音量調整装置。
【請求項４】
更に放送信号を受信し選局をおこなうチューナを備え、このチューナの出力を前記音声入力ソースとして用いることを特徴とする請求項１に記載の音量調整装置。
【請求項５】
音声入力ソース毎に音量を設定可能な複数の音声入力ソースから所望の入力ソースを選択して再生し、
前記音声入力ソースの直前の再生時の音量を記憶し、
この記憶結果に応じて、前記音入力ソースの切換後の音量を制御することを特徴とする音量調整方法。
【発明の詳細な説明】
【技術分野】
【０００１】
本発明は、テレビジョン受像機等における音量調整装置及び音量調整方法に関する。
【背景技術】
【０００２】
近年、外部機器に保存されている動画、音楽コンテンツの再生機能を搭載したTVが普及しているが、コンテンツによってはTV番組を視聴中の音量のまま再生した場合に音量が小さく聞き辛い場合がある。コンテンツ再生中に音量を上げ、そのままTV番組の視聴画面に戻った場合、予想以上に大きな音量になってしまうことが懸念される。
【０００３】
加えて、Digital Media Rendererなどの機能ではPCなどのDigital Media Controllerからもテレビの音量を制御可能なため、PC等の別の機器からユーザーの意図しない音量に設定される懸念がある。
【０００４】
対して特許文献１では、テレビジョン受像機で、放送局及び外部入力それぞれの音量値と補正値をメモリに記憶しておき、切換時にそれを読み出して音量を制御することが開示されている。しかしながら放送局、外部入力別補正データ記憶用メモリにどのように補正値を入力するか開示されていない。
【先行技術文献】
【特許文献】
【０００５】
【特許文献１】特開平９−３７１７４号公報
【発明の概要】
【発明が解決しようとする課題】
【０００６】
本発明は、音声入力ソース毎に音量を利用者が設定可能な音量調整装置及び音量調整方法を提供することを目的とする。
【課題を解決するための手段】
【０００７】
上記課題を解決するために、本発明の音量調整装置は、音声入力ソース毎に音量を設定可能な複数の音声入力ソースから所望の入力ソースを選択して再生する再生手段と、前記音声入力ソースの直前の再生時の音量を記憶する記憶手段とを備え、この記憶結果に応じて、前記音入力ソースの切換後の音量を前記再生手段は制御することを特徴とする。
【０００８】
また、本発明の音量調整方法は、音声入力ソース毎に音量を設定可能な複数の音声入力ソースから所望の入力ソースを選択して再生し、前記音声入力ソースの直前の再生時の音量を記憶し、この記憶結果に応じて、前記音入力ソースの切換後の音量を制御することを特徴とする。
【発明の効果】
【０００９】
本発明によれば、音声入力ソース毎に音量を利用者が設定可能な音量調整装置及び音量調整方法が得られる。
【図面の簡単な説明】
【００１０】
【図１】本発明の一実施形態に係わるテレビ受信装置の構成を概略的に示すブロック図。
【図２】同実施形態の複数の操作入力の情報それぞれに対応付けられた複数のキーが設けられたリモコンを示す図。
【図３】同実施形態の音量調節の様子を説明するために示す流れ図。
【図４】同実施形態の図３の動作を図１と関連付けたフローチャート。
【図５】他の実施形態の音量調節の様子を説明するために示す流れ図。
【発明を実施するための形態】
【００１１】
以下、本発明の実施形態を説明する。
（実施形態１）
本発明による実施形態１を図１乃至図４を参照して説明する。
まず以下に、図１を参照して本発明の一実施形態にかかるテレビ受信装置について説明する。
図１は、本発明の一実施形態に係るテレビ受信装置の構成を概略的に示している。このテレビ受信装置は、地上アナログ放送波、並びにＢＳ、ＣＳ及び地上デジタル放送波を受信可能であり、マイクロプロセッサ１０、デジタル用チューナ１１、アナログ用チューナ１２、デジタル用復調器１３、アナログ用復調器１４及びＴＳ復号器１５を備えている。
【００１２】
ＢＳ、ＣＳ及び地上デジタル放送波は、アンテナ１で受信され、この受信信号がデジタル用チューナ１１に供給される。同様に、地上アナログ放送波は、アンテナ１で受信され、この受信信号がアナログ用チューナ１２に供給される。デジタル用チューナ１１及びアナログ用チューナ１２は、フェーズロックドループ(ＰＬＬ)方式を採用し、マイクロプロセッサ１０の制御により中心周波数及び帯域幅等の受信パラメータを指定してそれぞれ所望の放送波を選局するために用いられる。
【００１３】
デジタル用チューナ１１で選局した放送波の受信信号は、例えば日本の地上デジタル放送の場合にＯＦＤＭ(orthogonal frequency division multiplexing)方式のデジタル用復調器１３及びＴＳ復号器１５に順次供給され、これらでデジタル映像信号及び音声信号に復調及び復号される。アナログ用チューナ１２で選局された受信信号は、アナログ用復調器１４に供給され、ここでアナログ映像信号及び音声信号に復調される。
【００１４】
このテレビ受信装置は、更に、信号処理部１６、グラフィック処理部１７、ＯＳＤ(on screen display)信号生成部１８、映像処理部１９、ディスプレイ２０、音声処理部２１、スピーカ２２、操作パネル２３、赤外線受光部２４、リモコン２５、フラッシュメモリ２６、ＵＳＢ(Universal Serial Bus)コネクタ２７、カードコネクタ２８、及びネットワーク通信回路２９を備える。信号処理部１６は、ＴＳ復号器１５からのデジタル映像信号及び音声信号に対して選択的に所定のデジタル信号処理を施し、それぞれグラフィック処理部１７及び音声処理部２１に出力する。また、信号処理部１６は、アナログ用復調器１４からのアナログ映像信号及び音声信号を選択的にデジタル化し、このデジタル化された映像信号及び音声信号に対して所定のデジタル信号処理を施し、それぞれグラフィック処理部１７及び音声処理部２１に出力する。
【００１５】
グラフィック処理部１７は、信号処理部１６から出力されたデジタル映像信号にＯＳＤ信号生成部１８で生成されたＯＳＤ信号を選択的に重畳して出力する。映像処理部１９は、グラフィック処理部１７から出力されたデジタル映像信号に対してディスプレイ２０に適合させる例えばサイズ調整等の変換を行う。ディスプレイ２０は、映像処理部１９から出力された映像信号に対応する映像を表示する。音声処理部２１は、信号処理部１６から出力されたデジタル音声信号をスピーカ２２に適合させる音量調整等の変換を行う。スピーカ２２は、音声処理部２１から出力された音声信号に対応する音声を再生する。
【００１６】
マイクロプロセッサ１０は、操作パネル２３からの操作情報、またはリモコン２５から送出され赤外線受光部２４で受信された操作情報を受けて、その操作内容が反映されるように各コンポーネントを制御する。ここで、操作パネル或いはキーボード２３及びリモコン２５は、ユーザーインタフェースとして機能する操作モジュールに相当している。図１に示すように、マイクロプロセッサ１０は、様々な処理及び制御を行うＣＰＵ(central processing unit）３１、このＣＰＵ３１の制御プログラム及び様々な初期データを保持するＲＯＭ(read only memory）３２、ＣＰＵ３１の入出力情報を一時的に格納する作業エリアを提供するＲＡＭ(random access memory）３３、Ｉ２Ｃバス等を介して各コンポーネントに対する設定情報及び制御情報を入出力するインタフェース３４、及び放送波やネットワーク経由で取得される時刻情報及び日付情報に従って補正される時計回路３５を含んでいる。
【００１７】
ＵＳＢコネクタ２７は、様々なＵＳＢ機器を接続するために設けられている。カードコネクタ２８は、様々なメディアカードを接続するために設けられている。また、ネットワーク通信回路２９は、インターネットに直接あるいはＬＡＮ(local area network)経由で接続されている。時刻情報を放送波から取得する場合は、アンテナ１で受信した信号から、また時刻情報，天気，占い等基礎データをネットワークから取得する場合は、ネットワーク通信回路２９から、それぞれマイクロプロセッサ１０に取り込まれる。
【００１８】
不揮発性メモリとしてのフラッシュメモリ２６には、予め製造側においてテレビ受信装置の出荷段階でＢＧＭ(プリインストールＢＧＭ）及びこのＢＧＭを再生するために利用される様々な登録情報を格納しておいてもよい。
【００１９】
またＵＳＢコネクタ２７やカードコネクタ２８は、外部からＵＳＢ機器（メモリ等）やメディアカードを接続して動画、写真、音楽データを読み出すことができる。
マイクロプロセッサ１０は、例えばフォトビューア機能やフォトフレーム機能を実現するために、ＵＳＢコネクタ２７に接続されるＵＳＢメモリやカードコネクタ２８に接続されるメディアカードにファイルとして保持される１または複数のフォト画像を取り込み、信号処理部１６、グラフィック処理部１７、及び映像処理部１９での処理を経て各フォト画像をディスプレイ２０に表示させる制御を行えるように構成されている。
【００２０】
次に、図２を用いて、図１で説明した赤外線受光部２４が受光する操作入力の情報を出力するリモコンＲＣに設けられた複数のキーを説明する。
図２は、リモコン２５の実体として複数の操作入力の情報それぞれに対応付けられた複数のキーが設けられたリモコンＲＣを示す図である。
テレビジョン受像機の利用者は、リモコンＲＣに設けられた複数のキーのうちの特定のキーを押下して、この押下されたキーに対応付けられた操作入力の情報をリモコンＲＣから出力させて、テレビジョン受像機を操作する。リモコンＲＣは、操作入力の情報を、赤外線などを利用してテレビジョン受像機へ出力する。
【００２１】
メニューキー２０１は、様々なメニュー画面をディスプレイ２０で表示／消去させるキーである。
マルチキー２０２は、マルチ画面をディスプレイ２０で表示／消去させるキーである。
情報キー２０３は、マルチ画面に提示されている映像に係る番組の番組関連情報を表示／消去させるキーである。
説明キー２０４は、マルチ画面に提示されている複数の映像の中で選択されている映像に係わる番組の内容を説明する情報である番組説明情報を表示／消去させるキーである。
【００２２】
選局キー２０５の「１」から「１２」までのそれぞれの数字キーは、特定のチャンネルを受信するためのキーである。選局キー２０５の特定の数字キーは、マルチ画面が表示されている状態では、マルチ画面の映像提示領域の数を直接的に変更するためのキーとなる。また、それぞれの数字キーに対して、特定のチャンネルの受信を対応付けることや、マルチ画面の映像提示領域の数を対応付けることが可能である。
【００２３】
カラーキーである青キー２０６および赤キー２０７，緑キー２０８，黄キー２０９は、マルチ画面表示をしている時、マルチ画面の映像提示領域の数を直接的に変更するキーとして割り当てられている。
【００２４】
地上波キー２１０は、地上デジタル放送の受信を選択するための放送波選択キーであり、ＢＳキー２１１、ＢＳ放送の受信を選択するための放送波選択キーであり、さらに、ＣＳキー２１２は、ＣＳ放送の受信を選択するための放送波選択キーである。これらのキーの押下により、テレビジョン受像機は、対応するチューナおよび処理ブロックを利用して、押下された放送波の番組のデータを受信する。
【００２５】
方向キー２１３は、マルチ画面に提示されている複数の映像提示領域の中の特定の映像提示領域が選択されていることを示すフォーカスを移動するキーである。
決定キー２１４は、マルチ画面に提示されている複数の映像の中で選択されている特定の映像を、マルチ画面の所定の領域の映像と入れ替えるキーである。
戻るキー２１５および終了キー２１６は、マルチ画面を表示器６１から消去させるキーである。
チャンネルアップダウンキー２１７は、チャンネルアップするチャンネルアップキー、および、チャンネルダウンするチャンネルダウンキーを備える。チャンネルアップおよびチャンネルダウンは、受信可能なチャンネルまたは選局するように設定されたチャンネルの中からチャンネル番号順で行なわれる。
【００２６】
音量アップダウンキー２１８は、音量アップする音量アップキー、および、音量ダウンする音量ダウンキーを備える。音量アップおよび音量ダウンは、受信しているチャンネル等の音声入力ソースに対して行なわれる。
【００２７】
音声入力ソースの単位としては、後述するように電波による放送、ＩＰ放送の個々のサービスでもよいが、更にチャンネルや個々のプログラム（番組）でもよい。
またＤＶＤなどのメディアでは、コンテンツ（タイトル）の単位でもよい。
更に放送とその録画物、メディアを通じて番組やタイトルの中で音楽部分と他の部分とを区別する技術を用いて、利用者の好みによるメニューキーを用いた選択設定などにより、それらを別個の音声入力ソースの単位としてもよい。
【００２８】
また、リモコンＲＣには他にも多数のキーが備えられていても構わない。また、リモコンＲＣに設けられたキーと同等のキーが、操作パネル２３に設けられていても構わない。
【００２９】
すなわち、テレビジョン受像機の利用者は、リモコンＲＣなどに設けられた特定のキーを押下して、特定のチャンネルの番組の受信や、マルチ画面の表示／消去、マルチ画面の映像提示数の変更、マルチ画面中の特定の映像の選択、マルチ画面中の特定の映像と所定の領域の映像との入れ替えなどの複数の動作を行うように、テレビジョン受像機を操作することが可能である。
【００３０】
さて図３は、実施形態の音量調節の様子を説明するために示す流れ図である。
図３は、通常（TV番組の）視聴中とTV番組とは別の動画、音楽コンテンツ再生中で音量の設定を別々に記憶することを概略的に例示したものである。
３０：あるコンテンツを再生する場合、初期値（既定値）として音量レベルが３０であることを表している。
３１：例えばある放送を音量レベル３０で視聴している。マルチ画面の場合はマルチ画面のうちの１つの放送である。
３２：次に操作パネル２３またはリモコン２５による音量調整として、テレビジョン受像機の利用者が音量レベルを４０まで上げる。
３３：次に上記のあるコンテンツを再生すべくこのコンテンツを起動すると、コンテンツ再生の音量初期値である音量レベルが３０でコンテンツが再生される。
３４：次に操作パネル２３またはリモコン２５による音量調整として、テレビジョン受像機の利用者が音量レベルを５０まで上げる。
３５：次に上記のあるコンテンツの再生を終了すると、上記のある放送を再び音量レベル４０で視聴できる状態となる。
３６〜３７：次に上記のあるコンテンツを再生すべく再起動すると、音量レベルが３０で再生される。リモコンＲＣのメニューキー２０１等を用いた対話的な設定により音量レベルが５０で再生されるようにしてもよい。別の方法として、コンテンツ再生開始時の音量は通常視聴中の音量を引き継いでも良い。この場合、コンテンツ再生中の音量調節は自由にでき、コンテンツ再生終了時はコンテンツ再生開始時、つまり通常視聴中の音量に戻る。
【００３１】
図４は図３の動作を図１と関連付けたフローチャートである。
ステップＳ４１（電波による放送のチャンネル選局）：ユーザーの操作に基づき、放送のチャンネル選局に相当する操作パネル２３からの操作情報、またはリモコン２５から送出され赤外線受光部２４で受信された操作情報を受けて、マイクロプロセッサ１０は、その操作内容が反映されるようにデジタル用チューナ１１またアナログ用チューナ１２の選局を制御する。またマイクロプロセッサ１０は、例えばある放送を音量レベル３０で視聴できるように信号処理部１６を経由して音声処理部２１を動作させスピーカ２２に出力するようにしている。
【００３２】
ステップＳ４２（音量の変更）：次に操作パネル２３またはリモコン２５による音量調整として、ステップＳ４１と同様にマイクロプロセッサ１０は、上記放送を音量レベルを４０まで上げるように信号処理部１６を経由して音声処理部２１を動作させスピーカ２２に出力するようにする。
【００３３】
ステップＳ４３（コンテンツへの切替え）：コンテンツ起動の操作情報を受けて、マイクロプロセッサ１０は、その操作内容が反映されるようにコンテンツ起動を制御する。またマイクロプロセッサ１０は、このコンテンツ起動を音量初期値である音量レベル３０で視聴できるように信号処理部１６を経由して音声処理部２１を動作させスピーカ２２に出力するようにしている。この切替え時において、ステップＳ４２で最後に設定された音量レベルは例えばＲＡＭ３３に記憶される。更に音量レベルを例えばＲＯＭ３２その他の不揮発性メモリに記憶させておけば、装置の電源投入後の音量初期値として用いることができる。
【００３４】
ステップＳ４４（音量の変更）：次に操作パネル２３またはリモコン２５による音量調整として、ステップＳ４２と同様にマイクロプロセッサ１０は、上記放送を音量レベルを５０まで上げるように信号処理部１６を経由して音声処理部２１を動作させスピーカ２２に出力するようにする。
【００３５】
ステップＳ４５（コンテンツからの復帰）：コンテンツ終了の操作情報を受けて、マイクロプロセッサ１０は、その操作内容が反映されるようにコンテンツ終了を制御する。またマイクロプロセッサ１０は、再び上記のように元のデジタル用チューナ１１またアナログ用チューナ１２の選局を制御し、先の音量設定値である音量レベル４０で視聴できるように信号処理部１６を経由して音声処理部２１を動作させスピーカ２２に出力する状態となるようにする。この切替え時において、ステップＳ４４で最後に設定された音量レベルは例えばＲＡＭ３３に記憶される。
【００３６】
ステップＳ４６（コンテンツへの再切替え）：コンテンツ起動の操作情報を受けて、マイクロプロセッサ１０は、その操作内容が反映されるようにコンテンツ起動を制御する。またマイクロプロセッサ１０は、このコンテンツ起動を音量初期値である音量レベル３０で視聴できるように信号処理部１６を経由して音声処理部２１を動作させスピーカ２２に出力するようにしている。
【００３７】
図３中に示すように動画、音楽コンテンツ再生中にユーザーが任意の値に音量を変更しても、通常視聴に戻った場合は、通常視聴中最後に設定した値に戻る。これにより音量の小さな動画、音楽コンテンツのために音量を大きくしても、通常視聴画面に戻った時にユーザーの意図しない音量になることを防ぐことができる。また、再生時の音量レベルはコンテンツに依存するため、前回再生時の音量が次回再生時には大きすぎる場合がある。外部機器に保存されている動画、音楽コンテンツの再生時の音量は、再生機能を終了するたびに初期値にリセットしても良い。
【００３８】
（実施形態２）
本発明による実施形態２を図１乃至図２、図４および図５参照して説明する。実施形態１と共通する部分は説明を省略する。
実施形態１では放送の通常視聴における種類分けについては述べなかったが、ＩＰ放送のサービス（例えばアクトビラ（登録商標）といった事業者単位の提供範囲）毎に音量設定を記憶しておくのも好適である。
【００３９】
図５は、実施形態の音量調節の様子を説明するために示す流れ図である。
図５は、通常（よく見るサービスの）視聴中とよく見るサービスとは別のサービスの動画、音楽プログラム視聴中で音量の設定を別々に記憶することを概略的に例示したものである。
【００４０】
５０：あるプログラムを視聴する場合、初期値（既定値）として音量レベルが３０であることを表している。
５１：例えばある放送を音量レベル３０で視聴している。マルチ画面の場合はマルチ画面のうちの１つの放送である。
５２：次に操作パネル２３またはリモコン２５による音量調整として、テレビジョン受像機の利用者が音量レベルを４０まで上げる。
５３：次に上記の別のサービスを起動すると、別のサービスの音量初期値である音量レベルが３０で別のサービスが視聴できる。
５４：次に操作パネル２３またはリモコン２５による音量調整として、テレビジョン受像機の利用者が音量レベルを５０まで上げる。
５５：次に上記のある別のサービスの視聴を終了すると、上記のある放送を再び音量レベル４０で視聴できる状態となる。
５６〜５７：次に上記の別のサービスを再起動すると、音量レベルが３０で再生される。リモコンＲＣのメニューキー２０１等を用いた対話的な設定により音量レベルが５０で視聴されるようにしてもよい。
【００４１】
なお実施形態２では、ネットワークを介したＩＰ放送のサービス同士の切替えを説明したが、ＩＰ放送のサービスと実施形態１で説明した電波による放送とを切替えてもよい。
【００４２】
（実施形態のまとめ）
実施形態では音量を、通常視聴中と、外部機器に保存されている動画、音楽コンテンツの再生中で別々に記憶することにより問題を回避することができる。
（１）通常視聴中と動画、音楽コンテンツ再生中で音量の設定を別々に記憶する。
（２）外部機器に保存された動画、音楽コンテンツ再生中に限らず、IPTV関連の機能においても同様の対応をとる。
（３）付加機能として、外部機器に保存されている動画、音楽コンテンツの再生時の音量は、再生機能を終了するたびに初期値にリセットしても良い。
上記のように本実施形態では概要として、テレビ装置における音量設定記憶方法で、通常のテレビ番組を視聴する場合と外部機器を接続して動画または音楽コンテンツを視聴した場合の音量を予め記憶装置に記憶しておき、外部機器を接続して動画または音楽コンテンツを視聴した場合に音量を変更した場合でもテレビ番組視聴に戻った場合は記憶装置にある音量設定値の音量に制御される。
【００４３】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００４４】
１０…マイクロプロセッサ、１６…信号処理部、１７…グラフィック処理部、１８…ＯＳＤ信号生成部、１９…映像処理部、２０…ディスプレイ、２３…操作パネル、２４…赤外線受光部、２５…リモコン、２６…フラッシュメモリ、２７…ＵＳＢコネクタ、２８…カードコネクタ、２９…ネットワーク通信回路、ＲＣ…リモコン、２０１…メニューキー、２０２…マルチキー、２０３…情報キー、２０４…説明キー、２０５…選局キー、２０６…青キー、２０７…赤キー、２０８…緑キー、２０９…黄キー、２１０…地上波キー、２１１…ＢＳキー、２１２…ＣＳキー、２１３…方向キー、２１４…決定キー、２１５…戻るキー、２１６…終了キー、２１７…チャンネルアップダウンキー、２１８…音量アップダウンキー。
【図１】
2011155541.tif 000003
【図２】
2011155541.tif 000004
【図３】
2011155541.tif 000005
【図４】
2011155541.tif 000006
【図５】
2011155541.tif 000007
【手続補正書】
【提出日】平成23年1月24日(2011.1.24)
【手続補正１】
【補正対象書類名】特許請求の範囲
【補正対象項目名】全文
【補正方法】変更
【補正の内容】
【特許請求の範囲】
【請求項１】
音声入力ソース毎に音量を設定可能な複数の音声入力ソースから所望の入力ソースを選択して再生するように構成される再生手段と、  前記選択された音声入力ソースの以前の再生時の音量レベルを記憶するように構成される記憶手段とを備え、  この記憶手段に記憶される値に応じて、前記選択された音声入力ソースの切換後の音量レベルを前記再生手段は制御することを特徴とする音量調整装置。
【請求項２】
音量が初期値を有し、  音声入力ソースとして外部機器に保存されている動画コンテンツまたは音楽コンテンツの再生時に音量が第２のレベルに設定され、再生機能を終了するときに音量が前記初期値にリセットされることを特徴とする請求項１に記載の音量調整装置。
【請求項３】
前記初期値にリセットすることを妨げるように構成される設定手段を更に備えたことを特徴とする請求項２に記載の音量調整装置。
【請求項４】
更に放送信号を選択するように構成されるチューナと、  前記放送信号を受信し音声ソースを出力する復調器と、を備え、 前記復調機の出力を前記音声入力ソースとして用いることを特徴とする請求項１に記載の音量調整装置。
【請求項５】
音声入力ソース毎に音量を設定可能な複数の音声入力ソースから所望の入力ソースを選択し、  前記選択された入力ソースを再生し、  前記複数の音声入力ソースそれぞれの直前の再生時の音量レベルを記憶し、 前記記憶された音量レベルに応じて、前記音声入力ソースの切換後の音量を制御することを特徴とする音量調整方法。
【請求項６】
第１の音量レベルで、第１のコンテンツを出力し、  前記第１の音量レベルと異なる第２の音量レベルで、前記第１のコンテンツと異なる第２のコンテンツを出力し、  前記第２のコンテンツの出力を停止するときに、音量を前記第１の音量レベルに自動的に再設定することを特徴とする音量調整方法。
【請求項７】
前記第１の音量レベルでの前記第１のコンテンツの出力の後、前記第２の音量レベルでの前記第２のコンテンツの出力の前に、第３の音量レベルで前記第１のコンテンツを出力することを特徴とする請求項６に記載の音量調整方法。
【請求項８】
前記第２の音量レベルでの前記第２のコンテンツの出力の後、前記音量の自動的再設定の前に、第４の音量レベルで前記第２のコンテンツを出力することを特徴とする請求項６に記載の音量調整方法。
【請求項９】
前記第１のコンテンツは第１のタイプのコンテンツであり、前記第２のコンテンツは前記第１のタイプと異なる第２のタイプのコンテンツであり、 前記第２のコンテンツの出力の後、前記第１のタイプのコンテンツが出力されるときに、音量が前記第１の音量レベルに自動的に再設定されることを特徴とする請求項６に記載の音量調整方法。
【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
放送信号の第１の音声入力ソース，および外部機器に保存されているコンテンツの第２の音声入力ソースから所望の入力ソースを選択して再生するように構成される再生手段と，
前記第１の音声入力ソースの再生時の音量レベルを記憶するように構成される記憶手段とを備え，
前記第２の音声入力ソースの再生が終了した場合に，前記記憶手段に記憶される音量レベルに応じて，前記再生手段の音量レベルが設定される
ことを特徴とする音量調整装置。
【請求項２】
前記記憶手段は，前記第２の音声入力ソースの音量レベルの初期値を記憶し，
前記第１の音声入力ソースから前記第２の音声入力ソースに，入力ソースが切り替えられた場合に，音量レベルが前記初期値にリセットされることを特徴とする請求項１に記載の音量調整装置。
【請求項３】
前記第１の音声入力ソースから前記第２の音声入力ソースに，入力ソースが切り替えられるたびに，音量レベルが前記初期値にリセットされることを特徴とする請求項２に記載の音量調整装置。
【請求項４】
更に放送信号を選択するように構成されるチューナと，
前記放送信号を受信し音声ソースを出力する復調器と，を備え，
前記復調機の出力を前記第１の音声入力ソースとして用いることを特徴とする請求項１に記載の音量調整装置。